(57)【要約】【解決課題】認証情報の入力などを必要とせず、画像情報の印刷、閲覧、又は編集について機密性、完全性、又は可用性を成立可能とする情報処理装置、プログラム、及び情報処理システムを提供する。【解決手段】印刷時のイメージログ機能がオンに設定されている場合には（１５０）、電子文書に付加されたＩＰアドレスに基づいて、管理サーバにアクセス要求信号を送信する（１２２）。管理サーバから応答信号を受信すると（１２４）、電子文書にログ画像が付加されているか否かを判定する（１２８）。電子文書にログ画像が付加されていない場合には、イメージログ設定情報のログ画像設定情報に基づいて、電子文書のログ画像を作成し（１３０、１３２）、ユーザの識別情報とログ画像と印刷を示す処理内容情報とを含むイメージログを作成して、管理サーバに送信し（１３４）、そして、電子文書を印刷装置に送信して、電子文書を印刷させる（１５６）。【選択図】図１３
2008217452.tif 000002
【特許請求の範囲】
【請求項１】
画像情報の印刷を管理する外部管理装置と通信を行うための通信情報が付加された画像情報を印刷するときに、前記通信情報に基づいて、所定情報を前記外部管理装置に送信する情報送信手段と、
前記外部管理装置から、前記情報送信手段によって送信された所定情報に対する応答信号を受信する受信手段と、
前記受信手段によって前記応答信号を受信したときに、前記画像情報を外部印刷装置に送信する画像送信手段と、
を含む情報処理装置。
【請求項２】
画像情報の閲覧を管理する外部管理装置と通信を行うための通信情報が付加された画像情報を表示するときに、前記通信情報に基づいて、所定情報を前記外部管理装置に送信する情報送信手段と、
前記外部管理装置から、前記情報送信手段によって送信された所定情報に対する応答信号を受信する受信手段と、
前記受信手段によって前記応答信号を受信したときに、前記画像情報を表示する表示手段と、
を含む情報処理装置。
【請求項３】
画像情報の編集を管理する外部管理装置と通信を行うための通信情報が付加された画像情報を編集するときに、前記通信情報に基づいて、所定情報を前記外部管理装置に送信する情報送信手段と、
前記外部管理装置から、前記情報送信手段によって送信された所定情報に対する応答信号を受信する受信手段と、
前記受信手段によって前記応答信号を受信したときに、前記画像情報を編集する編集手段と、
を含む情報処理装置。
【請求項４】
前記情報送信手段は、前記通信情報に基づいて、前記所定情報として自装置又は自装置の利用者を特定する特定情報と印刷を示す処理内容情報とを前記外部管理装置に送信し、
前記画像送信手段は、前記受信手段によって受信する前記応答信号として印刷許可を示す応答信号を受信したときに、前記画像情報を外部印刷装置に送信する請求項１記載の情報処理装置。
【請求項５】
前記情報送信手段は、前記通信情報に基づいて、前記所定情報として該画像情報を特定する特定情報と印刷を示す処理内容情報とを前記外部管理装置に送信し、
前記画像送信手段は、前記受信手段によって受信する前記応答信号として印刷許可を示す応答信号を受信したときに、前記画像情報を外部印刷装置に送信する請求項１記載の情報処理装置。
【請求項６】
前記情報送信手段は、前記通信情報に基づいて、前記所定情報として自装置又は自装置の利用者を特定する特定情報と閲覧を示す処理内容情報とを前記外部管理装置に送信し、
前記表示手段は、前記受信手段によって受信する前記応答信号として閲覧許可を示す応答信号を受信したときに、前記画像情報を表示する請求項２記載の情報処理装置。
【請求項７】
前記情報送信手段は、前記通信情報に基づいて、前記所定情報として該画像情報を特定する特定情報と閲覧を示す処理内容情報とを前記外部管理装置に送信し、
前記表示手段は、前記受信手段によって受信する前記応答信号として閲覧許可を示す応答信号を受信したときに、前記画像情報を表示する請求項２記載の情報処理装置。
【請求項８】
前記情報送信手段は、前記通信情報に基づいて、前記所定情報として自装置又は自装置の利用者を特定する特定情報と編集を示す処理内容情報とを前記外部管理装置に送信し、
前記編集手段は、前記受信手段によって受信する前記応答信号として編集許可を示す応答信号を受信したときに、前記画像情報を編集する請求項３記載の情報処理装置。
【請求項９】
前記情報送信手段は、前記通信情報に基づいて、前記所定情報として該画像情報を特定する特定情報と編集を示す処理内容情報とを前記外部管理装置に送信し、
前記編集手段は、前記受信手段によって受信する前記応答信号として編集許可を示す応答信号を受信したときに、前記画像情報を編集する請求項３記載の情報処理装置。
【請求項１０】
前記外部管理装置は、通信可能な装置が制限されている請求項１〜請求項９の何れか１項記載の情報処理装置。
【請求項１１】
コンピュータを、
画像情報の印刷を管理する外部管理装置と通信を行うための通信情報が付加された画像情報を印刷するときに、前記通信情報に基づいて、所定情報を前記外部管理装置に送信するように、送受信手段を制御する情報送信制御手段、及び
前記外部管理装置から、前記情報送信制御手段によって送信された所定情報に対する応答信号を前記送受信手段によって受信したときに、前記画像情報を外部印刷装置に送信するように、前記送受信手段を制御する画像送信制御手段
として機能させるためのプログラム。
【請求項１２】
コンピュータを、
画像情報の閲覧を管理する外部管理装置と通信を行うための通信情報が付加された画像情報を表示するときに、前記通信情報に基づいて、所定情報を前記外部管理装置に送信するように、送受信手段を制御する情報送信制御手段、及び
前記外部管理装置から、前記情報送信制御手段によって送信された所定情報に対する応答信号を前記送受信手段によって受信したときに、前記画像情報を表示手段に表示させる表示制御手段
として機能させるためのプログラム。
【請求項１３】
コンピュータを、
画像情報の編集を管理する外部管理装置と通信を行うための通信情報が付加された画像情報を編集するときに、前記通信情報に基づいて、所定情報を前記外部管理装置に送信するように送受信手段を制御する情報送信制御手段、及び
前記外部管理装置から、前記情報送信制御手段によって送信された所定情報に対する応答信号を前記送受信手段によって受信したときに、前記画像情報を編集する編集手段
として機能させるためのプログラム。
【請求項１４】
外部管理装置と通信を行うための通信情報が付加された画像情報を印刷するときに、前記通信情報に基づいて、所定情報を前記外部管理装置に送信する情報送信手段、
前記外部管理装置から、前記情報送信手段によって送信された所定情報に対する応答信号を受信する受信手段、及び
前記受信手段によって前記応答信号を受信したときに、前記画像情報を外部印刷装置に送信する画像送信手段を含む情報処理装置と、
前記所定情報を前記情報処理装置から受信する所定情報受信手段、及び
前記所定情報受信手段が受信した前記所定情報によって応答信号を送信する応答信号送信手段を含む外部管理装置と、
を含む情報処理システム。
【発明の詳細な説明】
【技術分野】
【０００１】
本発明は、情報処理装置、プログラム、及び情報処理システムに関する。
【背景技術】
【０００２】
近年、機密電子文書に対する管理が厳重になっており、電子文書の閲覧や、配布、印刷等を厳しく管理して、制限できるようにする必要がある。
【０００３】
例えば、管理する方法の一つとして、印刷禁止指示を電子文書に組み込んでおく電子文書の処理方法が知られている（特許文献１）。この方法では、パスワードが一致しなかった場合、印刷指示をエラーにし、または、低解像度に変換して印刷を行う。
【０００４】
また、機密性の高い文書が印刷や、配布、複製等されたとき、誰がいつ印刷、配布、複製したのか分かるように、電子透かしを随時更新しながら印刷文書に書き込んでおくセキュリティ文書管理方法が知られている（特許文献２）。
【０００５】
また、近年では、イメージログ機能が知られている。イメージログ機能では、読み取った画像または他の機器から受信した画像からイメージを作成して、作成したイメージを、画像に対して行う処理内容と共にイメージログとして保存し、また、保存したイメージログを、イメージログを管理する機能を有するサーバに転送している。
【０００６】
例えば、原稿の画像データと該画像の出力指示に関するデータ（コピーした日時、ユーザ、場所等）とを関連させて保存しておき、後からの追跡を可能とする画像読取装置が知られている（特許文献３）。
【０００７】
また、デジタル複合機で、画像データとログ情報とから構成されるＸＭＬフォーマットの画像ログ情報を生成して送信し、文書管理サーバで、該画像ログ情報をＸＭＬフォーマットのまま保存し、検索するネットワーク文書管理システムが知られている（特許文献４）。
【特許文献１】特開２００５−２４２８０２号
【特許文献２】特開２００６−５６０５号
【特許文献３】特開２００１−３２０５１７号
【特許文献４】特開２００６−１６３９０４号
【発明の開示】
【発明が解決しようとする課題】
【０００８】
画像情報の機密性、改ざんを防ぐ完全性、又は必要なときにいつでも利用できる可用性をそれぞれ成り立たせるために従来必要だった認証情報の設定やその入力などの利用者の面倒な操作を必要とせずに、特に画像情報の印刷、閲覧、又は編集について機密性、完全性、又は可用性を成り立たせることができる情報処理装置、プログラム、及び情報処理システムを提供することを目的とする。
【課題を解決するための手段】
【０００９】
上記の目的を達成するために、請求項１記載の発明に係る情報処理装置は、画像情報の印刷を管理する外部管理装置と通信を行うための通信情報が付加された画像情報を印刷するときに、前記通信情報に基づいて、所定情報を前記外部管理装置に送信する情報送信手段と、前記外部管理装置から、前記情報送信手段によって送信された所定情報に対する応答信号を受信する受信手段と、前記受信手段によって前記応答信号を受信したときに、前記画像情報を外部印刷装置に送信する画像送信手段とを含んで構成されている。
【００１０】
請求項２記載の発明に係る情報処理装置は、画像情報の閲覧を管理する外部管理装置と通信を行うための通信情報が付加された画像情報を表示するときに、前記通信情報に基づいて、所定情報を前記外部管理装置に送信する情報送信手段と、前記外部管理装置から、前記情報送信手段によって送信された所定情報に対する応答信号を受信する受信手段と、前記受信手段によって前記応答信号を受信したときに、前記画像情報を表示する表示手段とを含んで構成されている。
【００１１】
請求項３記載の発明に係る情報処理装置は、画像情報の編集を管理する外部管理装置と通信を行うための通信情報が付加された画像情報を編集するときに、前記通信情報に基づいて、所定情報を前記外部管理装置に送信する情報送信手段と、前記外部管理装置から、前記情報送信手段によって送信された所定情報に対する応答信号を受信する受信手段と、前記受信手段によって前記応答信号を受信したときに、前記画像情報を編集する編集手段とを含んで構成されている。
【００１２】
請求項４記載の発明では、上記請求項１記載の発明に係る情報処理装置において、前記情報送信手段は、前記通信情報に基づいて、前記所定情報として自装置又は自装置の利用者を特定する特定情報と印刷を示す処理内容情報とを前記外部管理装置に送信し、前記画像送信手段は、前記受信手段によって受信する前記応答信号として印刷許可を示す応答信号を受信したときに、前記画像情報を外部印刷装置に送信する。
【００１３】
請求項５記載の発明では、上記請求項１記載の発明に係る情報処理装置において、前記情報送信手段は、前記通信情報に基づいて、前記所定情報として該画像情報を特定する特定情報と印刷を示す処理内容情報とを前記外部管理装置に送信し、前記画像送信手段は、前記受信手段によって受信する前記応答信号として印刷許可を示す応答信号を受信したときに、前記画像情報を外部印刷装置に送信する。
【００１４】
請求項６記載の発明では、上記請求項２記載の発明に係る情報処理装置において、前記情報送信手段は、前記通信情報に基づいて、前記所定情報として自装置又は自装置の利用者を特定する特定情報と閲覧を示す処理内容情報とを前記外部管理装置に送信し、前記表示手段は、前記受信手段によって受信する前記応答信号として閲覧許可を示す応答信号を受信したときに、前記画像情報を表示する。
【００１５】
請求項７記載の発明では、上記請求項２記載の発明に係る情報処理装置において、前記情報送信手段は、前記通信情報に基づいて、前記所定情報として該画像情報を特定する特定情報と閲覧を示す処理内容情報とを前記外部管理装置に送信し、前記表示手段は、前記受信手段によって受信する前記応答信号として閲覧許可を示す応答信号を受信したときに、前記画像情報を表示する。
【００１６】
請求項８記載の発明では、上記請求項３記載の発明に係る情報処理装置において、前記情報送信手段は、前記通信情報に基づいて、前記所定情報として自装置又は自装置の利用者を特定する特定情報と編集を示す処理内容情報とを前記外部管理装置に送信し、前記編集手段は、前記受信手段によって受信する前記応答信号として編集許可を示す応答信号を受信したときに、前記画像情報を編集する。
【００１７】
請求項９記載の発明では、上記請求項３記載の発明に係る情報処理装置において、前記情報送信手段は、前記通信情報に基づいて、前記所定情報として該画像情報を特定する特定情報と編集を示す処理内容情報とを前記外部管理装置に送信し、前記編集手段は、前記受信手段によって受信する前記応答信号として編集許可を示す応答信号を受信したときに、前記画像情報を編集する。
【００１８】
請求項１０記載の発明では、上記請求項１〜請求項９の何れか１項記載の発明に係る情報処理装置において、前記外部管理装置は、通信可能な装置が制限されている。
【００１９】
請求項１１記載の発明に係るプログラムは、コンピュータを、画像情報の印刷を管理する外部管理装置と通信を行うための通信情報が付加された画像情報を印刷するときに、前記通信情報に基づいて、所定情報を前記外部管理装置に送信するように、送受信手段を制御する情報送信制御手段、及び前記外部管理装置から、前記情報送信制御手段によって送信された所定情報に対する応答信号を前記送受信手段によって受信したときに、前記画像情報を外部印刷装置に送信するように、前記送受信手段を制御する画像送信制御手段として機能させるためのプログラムである。
【００２０】
請求項１２記載の発明に係るプログラムは、コンピュータを、画像情報の閲覧を管理する外部管理装置と通信を行うための通信情報が付加された画像情報を表示するときに、前記通信情報に基づいて、所定情報を前記外部管理装置に送信するように、送受信手段を制御する情報送信制御手段、及び前記外部管理装置から、前記情報送信制御手段によって送信された所定情報に対する応答信号を前記送受信手段によって受信したときに、前記画像情報を表示手段に表示させる表示制御手段として機能させるためのプログラムである。
【００２１】
請求項１３記載の発明に係るプログラムは、コンピュータを、画像情報の編集を管理する外部管理装置と通信を行うための通信情報が付加された画像情報を編集するときに、前記通信情報に基づいて、所定情報を前記外部管理装置に送信するように送受信手段を制御する情報送信制御手段、及び前記外部管理装置から、前記情報送信制御手段によって送信された所定情報に対する応答信号を前記送受信手段によって受信したときに、前記画像情報を編集する編集手段として機能させるためのプログラムである。
【００２２】
請求項１４の発明に係る情報処理システムは、外部管理装置と通信を行うための通信情報が付加された画像情報を印刷するときに、前記通信情報に基づいて、所定情報を前記外部管理装置に送信する情報送信手段、前記外部管理装置から、前記情報送信手段によって送信された所定情報に対する応答信号を受信する受信手段、及び前記受信手段によって前記応答信号を受信したときに、前記画像情報を外部印刷装置に送信する画像送信手段を含む情報処理装置と、前記所定情報を前記情報処理装置から受信する所定情報受信手段、及び前記所定情報受信手段が受信した前記所定情報によって応答信号を送信する応答信号送信手段を含む外部管理装置とを含んで構成されている。
【発明の効果】
【００２３】
以上説明したように、請求項１記載の情報処理装置によれば、従来必要だった認証情報の設定やその入力などの利用者の面倒な操作を必要とせずに、画像情報の印刷について機密性、及び可用性を成り立たせることができる、という効果が得られる。
【００２４】
請求項２記載の情報処理装置によれば、従来必要だった認証情報の設定やその入力などの利用者の面倒な操作を必要とせずに、画像情報の閲覧について機密性、及び可用性を成り立たせることができる、という効果が得られる。
【００２５】
請求項３記載の情報処理装置によれば、従来必要だった認証情報の設定やその入力などの利用者の面倒な操作を必要とせずに、画像情報の編集について機密性、完全性、及び可用性を成り立たせることができる、という効果が得られる。
【００２６】
請求項４記載の情報処理装置によれば、画像情報の印刷を、予め定められた装置又は利用者に制限することができる、という効果が得られる。
【００２７】
請求項５記載の情報処理装置によれば、画像情報の印刷を、予め定められた画像情報に制限することができる、という効果が得られる。
【００２８】
請求項６記載の情報処理装置によれば、画像情報の閲覧を、予め定められた装置又は利用者に制限することができる、という効果が得られる。
【００２９】
請求項７記載の情報処理装置によれば、画像情報の閲覧を、予め定められた画像情報に制限することができる、という効果が得られる。
【００３０】
請求項８記載の情報処理装置によれば、画像情報の編集を、予め定められた装置又は利用者に制限することができる、という効果が得られる。
【００３１】
請求項９記載の情報処理装置によれば、画像情報の編集を、予め定められた画像情報に制限することができる、という効果が得られる。
【００３２】
請求項１０記載の情報処理装置によれば、画像情報の印刷、閲覧、又は編集を、外部管理装置と通信可能な装置に制限することができる、という効果が得られる。
【００３３】
請求項１１記載のプログラムによれば、従来必要だった認証情報の設定やその入力などの利用者の面倒な操作を必要とせずに、画像情報の印刷について機密性、及び可用性を成り立たせることができる、という効果が得られる。
【００３４】
請求項１２記載のプログラムによれば、従来必要だった認証情報の設定やその入力などの利用者の面倒な操作を必要とせずに、画像情報の閲覧について機密性、及び可用性を成り立たせることができる、という効果が得られる。
【００３５】
請求項１３記載のプログラムによれば、従来必要だった認証情報の設定やその入力などの利用者の面倒な操作を必要とせずに、画像情報の編集について機密性、完全性、及び可用性を成り立たせることができる、という効果が得られる。
【００３６】
請求項１４記載の情報処理システムによれば、従来必要だった認証情報の設定やその入力などの利用者の面倒な操作を必要とせずに、画像情報の印刷について機密性、及び可用性を成り立たせることができる、という効果が得られる。
【発明を実施するための最良の形態】
【００３７】
以下、本発明の実施の形態について図面を参照して説明する。なお、本実施の形態では、印刷システムに本発明を適用した場合について説明する。
【００３８】
図１に示すように、本発明の第１の実施の形態に係る印刷システム１０は、クライアントＰＣ１２と、画像データに基づいて記録用紙に画像を印刷する印刷装置１４と、電子文書の印刷、閲覧、及び編集を管理する管理サーバ１６と、ＬＡＮ（ローカルエリアネットワーク）などのネットワーク１８とで構成され、クライアントＰＣ１２、印刷装置１４、及び管理サーバ１６はネットワーク１８を介して相互に接続されている。
【００３９】
本実施の形態では、管理サーバ１６に接続可能な装置が制限されており、例えば、クライアントＰＣ１２及び管理サーバ１６が接続されたＬＡＮに接続されている装置からのみアクセス可能となっており、ＬＡＮに接続されていない装置からは、管理サーバ１６にアクセスできないようになっている場合を例に説明する。
【００４０】
また、図２に示すように、クライアントＰＣ１２は、各種プログラムやパラメータ等が記憶されたＲＯＭ（Ｒｅａｄ  Ｏｎｌｙ  Ｍｅｍｏｒｙ）２０、各種プログラムを実行するＣＰＵ（中央演算装置）２２、ＣＰＵ２２による各種プログラムの実行時におけるワークエリア等として用いられるＲＡＭ（Ｒａｎｄｏｍ  Ａｃｃｅｓｓ  Ｍｅｍｏｒｙ）２４、電子文書や後述するイメージログ作成処理ルーチン、閲覧時処理ルーチン、印刷時処理ルーチン、編集時処理ルーチンを実行するためのプログラムなどが記憶されたＨＤＤ（ハードディスクドライブ）２６、キーボード２８、マウス３０、ディスプレイ３２、ネットワーク１８と接続するためのネットワークインタフェース３６、及びこれらを相互に接続するためのバス３８が設けられている。なお、上記のプログラムは、通信手段によって提供されてもよく、または、ＣＤＲＯＭ等の記憶媒体にプログラムが格納されて提供されてもよい。
【００４１】
また、図３に示すように、印刷装置１４は、各種プログラムやパラメータ等が記憶されたＲＯＭ４０と、各種プログラムを実行するＣＰＵ４２と、ＣＰＵ４２による各種プログラムの実行時におけるワークエリア等として用いられるＲＡＭ４４と、原稿の画像を読み取って、画像データを入力するためのスキャナ４６と、スキャナ４６やクライアントＰＣ１２から入力された画像データを記憶するＨＤＤ４８と、ＨＤＤ４８に記憶された画像データに基づいて、記録用紙に画像を印字する印字部５０と、印刷装置１４の設定等の表示及び設定入力操作を行うための操作パネル部５２と、ネットワーク１８に接続し、クライアントＰＣ１２や管理サーバ１６とデータの送受信を行うためのネットワークインタフェース５４とを備えている。
【００４２】
また、印刷装置１４は、ＲＯＭ４０、ＣＰＵ４２、ＲＡＭ４４、スキャナ４６、ＨＤＤ４８、印字部５０、操作パネル部５２、及びネットワークインタフェース５４を相互に接続するためのバス５６を備えている。
【００４３】
また、管理サーバ１６は、クライアントＰＣ１２と同様の構成であるため、説明を省略する。なお、管理サーバ１６のＨＤＤには、後述するイメージログ保存処理ルーチンを実行するためのプログラムが記憶されている。
【００４４】
次に、クライアントＰＣ１２で作成される機密の電子文書について説明する。なお、本実施の形態では、画像情報として電子文書を用いる。図４に示すように、クライアントＰＣ１２で作成された電子文書には、管理サーバ１６と通信するための管理サーバ１６の識別情報、例えばＩＰアドレスが付加される。このように、管理サーバ１６のＩＰアドレスが付加された電子文書を配布することによって、電子文書を作成していない他のクライアントＰＣ１２は、管理サーバ１６のＩＰアドレスを取得することができる。
【００４５】
また、電子文書に対して、イメージログ機能に関する設定を行うようになっており、例えば、イメージログ機能を利用するか否かを設定するオンオフ設定を行い、また、イメージログ機能の詳細設定を行う。
【００４６】
イメージログ機能の詳細設定では、イメージログに含まれるログ画像の解像度の設定を行うようになっている。電子文書の内容によって、低解像度なのか高解像度なのかを設定する。ログ画像の解像度として高解像度を設定した場合には、詳細な情報を残せるが、ログ画像の作成や転送に時間がかかる。従来のイメージログでは、印刷時に印刷装置において、イメージログのログ画像を作成するため、最低限必要な解像度を判断する事が困難であったが、本実施の形態では、クライアントＰＣ１２で電子文書を作成する時に、ログ画像に必要な解像度を判断する。
【００４７】
また、イメージログ機能の詳細設定では、ログ画像を２値で作成するか、多値で作成するかを設定する。文字情報の多い電子文書であれば、検索率や画像サイズといった観点から、２値のログ画像を作成するのが好ましい。また、写真等の画像が主の電子文書であれば、多値のログ画像を作成するように指定するのが好ましい。本実施の形態では、クライアントＰＣ１２で電子文書を作成する時に、ログ画像の２値及び多値の何れかを設定する。
【００４８】
また、イメージログ機能の詳細設定では、ログ画像を白黒で作成するか、カラーで作成するかを設定することが可能となっている。なお、上記のログ画像に関する設定（解像度、２値多値、カラー白黒の設定）は、電子文書単位ではなく、ページ毎に設定するのが好ましい。
【００４９】
また、イメージログ機能の詳細設定では、イメージログのログ画像の作成対象が、電子文書の先頭ページだけなのか全ページなのか特定のページなのかを設定する。全ページを作成対象とした場合、ログ画像の作成やイメージログの転送に時間がかかるため、電子文書を特定できるページのみをログ画像の作成対象として指定すれば、イメージログのデータサイズが小さくなり、処理時間が短くなる。また、本実施の形態では、クライアントＰＣ１２で電子文書を作成する時に、ログ画像の作成対象を設定する。
【００５０】
また、イメージログ機能の詳細設定では、電子文書に対する処理時（印刷時、閲覧時、編集時）にログ画像を作成するのか、電子文書作成時にログ画像を作成しておくのかを選択設定するようになっている。電子文書の処理時に作成することを設定した場合、配布される電子文書のサイズを小さくする事ができるが、配布されたクライアントＰＣ１２において、随時ログ画像を作成する必要が発生する。また、電子文書の作成時に作成することを設定した場合、印刷や閲覧、編集を行うときに毎回作成しなくてもよいため、毎回作成する場合に比べて、処理完了までの時間が短くなる。
【００５１】
また、イメージログ機能の詳細設定では、イメージログを管理している管理サーバ１６にアクセスするタイミングを設定するようになっている。管理サーバ１６にアクセスするタイミングが、閲覧時なのか、印刷時なのか、編集時なのかを設定する。閲覧時にアクセスするように設定された場合には、管理サーバ１６にアクセスできなければ、閲覧自体させないように制御し、また、印刷時にのみアクセスするように設定された場合には、閲覧は誰でもできるが、管理サーバ１６にアクセスしないと、印刷できないように制御する。
【００５２】
また、イメージログ機能の詳細設定では、イメージログを管理する管理サーバ１６への送信タイミングを設定するようになっている。管理サーバ１６にイメージログを送信するタイミングが、閲覧時なのか、印刷時なのか、編集時なのかを設定し、送信タイミングが閲覧時に設定されている場合には、電子文書が閲覧されたことを管理サーバ１６において管理する。
【００５３】
また、管理サーバ１６では、受信したイメージログのログ画像に対して、ＯＣＲ（Ｏｐｔｉｃａｌ Ｃｈａｒａｃｔｅｒ Ｒｅａｄｅｒ、光学式文字読取装置）を用いて、イメージログのログ画像に含まれる文字を検出する機能を有している。また、管理サーバ１６は、イメージログのログ画像に対して、類似画像検索を行うことにより、類似するログ画像のイメージログを検出する機能を有し、また、受信したイメージログから、時間や識別情報などの文字列を検出する機能を有している。
【００５４】
次に、第１の実施の形態に係る印刷システム１０の作用について説明する。まず、クライアントＰＣ１２において、ユーザがキーボード２８やマウス３０を操作して、電子文書を作成し、電子文書を作成中に、電子文書に関する設定を指示すると、図５に示す電子文書作成プロパティ画面が表示され、ユーザは、電子文書の文書サイズ（原稿サイズ、用紙サイズ、用紙方向）や画質について設定する。また、電子文書作成プロパティ画面において、「イメージログ」のタグをクリックすると、図６に示すように、イメージログ機能のオンオフ設定画面が表示される。このオンオフ設定画面では、閲覧時、印刷時、及び編集時の各々について、「行う」及び「行わない」の何れかを選択して、イメージログ機能のオンオフを設定するようになっている。なお、以下では、このオンオフ設定画面で設定された情報を、オンオフ設定情報と称することとする。
【００５５】
また、イメージログ機能のオンオフ設定画面では、閲覧時、印刷時、及び編集時の各々について、イメージログ機能の詳細設定を行うための「詳細設定」キーが表示されており、詳細設定キーがクリックされると、図７に示すように、イメージログプロパティ設定画面が表示され、「画像設定」タグの設定画面では、ログ画像の作成時（例えば、電子文書作成時又は処理実行時）、ログ画像の解像度（例えば、２５ｄｐｉ、５０ｄｐｉ、１００ｄｐｉ、２００ｄｐｉ、３００ｄｐｉ、又は６００ｄｐｉ）、画像情報（例えば、２値又は多値）、及びカラーモード（カラー又は白黒）を設定するようになっている。なお、以下では、この「画像設定」タグの設定画面で設定された情報を、ログ画像設定情報と称することとする。
【００５６】
また、イメージログプロパティ設定画面において、「サーバ情報」のタグをクリックすると、図８に示すように、イメージログの送信先となる管理サーバ１６のアドレス（ＩＰアドレス又はＵＲＬ）を設定するための画面が表示される。
【００５７】
上記のように各種設定画面によって、電子文書に関する設定やイメージログの設定が行われた後、作成された電子文書の保存が指示されると、クライアントＰＣ１２において図９に示すイメージログ作成処理ルーチンが実行される。
【００５８】
まず、ステップ１００において、イメージログ機能がオンに設定されているか否かを判定し、ユーザが上述した設定画面でイメージログ機能をオフにすることを選択設定していた場合には、電子文書にイメージログ機能を設定せずに、ステップ１０２において、電子文書をＨＤＤ２６に保存し、イメージログ作成処理ルーチンを終了する。一方、上記ステップ１００において、ユーザがイメージログ機能をオンにすることを選択設定していた場合には、ステップ１０４で、上述した設定画面において設定されたイメージログに関するイメージログ設定情報（オンオフ設定情報やログ画像設定情報を含む）を取得し、ステップ１０６では、ログ画像を電子文書時に作成するか否かを判定し、取得したイメージログ設定情報に基づいて、ログ画像が印刷などの処理実行時に作成されるように設定されていると判定された場合には、ステップ１１０へ移行するが、取得したイメージログ設定情報に基づいて、ログ画像が電子文書作成時に作成されるように設定されていると判定された場合には、ステップ１０８で、イメージログ設定情報のログ画像設定情報に基づいて、ログ画像を作成する。例えば、設定された解像度、カラーモード、２値又は多値の画像情報に基づいて、電子文書を縮小した縮小画像（サムネイル）をログ画像として作成して、ステップ１１０へ移行する。
【００５９】
ステップ１１０では、上述した設定画面において設定された管理サーバ１６に関する設定情報から、管理サーバ１６のＩＰアドレスを取得し、ステップ１１２で、作成された電子文書に、イメージログ機能のオンオフ設定情報を含むイメージログ設定情報と管理サーバ１６のＩＰアドレスとを付加し、また、上記ステップ１０８でログ画像が作成されている場合には、図１０に示すように、作成されたログ画像を更に電子文書に付加して、イメージログ機能を電子文書に設定する。そして、次のステップ１１４で、イメージログ設定情報、ＩＰアドレス、及びログ画像が付加された電子文書、又はイメージログ設定情報及びＩＰアドレスが付加された電子文書をＨＤＤ２６に保存し、イメージログ作成処理ルーチンを終了する。
【００６０】
そして、上記のようにイメージログ機能が設定された電子文書がクライアントＰＣ１２に配布され、電子文書が配布されたクライアントＰＣ１２において、ユーザから電子文書の閲覧が指示されると、図１１に示す閲覧時処理ルーチンが実行される。なお、本実施の形態では、送信する所定情報としてアクセス要求信号を用いている。
【００６１】
まず、ステップ１２０において、電子文書に付加されたイメージログ設定情報のオンオフ設定情報に基づいて、閲覧時のイメージログ機能がオンに設定されているか否かを判定し、イメージログ機能がオフに設定されている場合には、ステップ１３６へ移行するが、一方、閲覧時のイメージログ機能がオンに設定されている場合には、ステップ１２２において、電子文書に付加されたＩＰアドレスに基づいて、管理サーバ１６にアクセス要求信号を送信する。
【００６２】
そして、ステップ１２４では、管理サーバ１６からアクセス要求信号に対する応答信号を受信したか否かを判定し、所定時間経過しても、管理サーバ１６から応答信号を受信しなかった場合には、クライアントＰＣ１２が管理サーバ１６にアクセスすることができず、電子文書の閲覧が許可されていないと判断し、ステップ１２６において、ディスプレイ３２に電子文書を表示せずに、閲覧できないことを示すメッセージを表示し、閲覧時処理ルーチンを終了する。
【００６３】
一方、上記ステップ１２４で、管理サーバ１６から応答信号を受信すると、クライアントＰＣ１２が管理サーバ１６にアクセスすることができるため、電子文書の閲覧が許可されていると判断し、ステップ１２８へ進み、電子文書にログ画像が付加されているか否かを判定する。電子文書の作成時にログ画像が作成されていた場合には、ステップ１３４へ移行し、一方、電子文書の作成時にログ画像が作成されておらず、電子文書にログ画像が付加されていない場合には、ステップ１３０で、電子文書に付加されたイメージログ設定情報のログ画像設定情報を取得し、ステップ１３２において、イメージログ設定情報のログ画像設定情報に基づいて、電子文書のログ画像を作成して、ステップ１３４へ移行する。
【００６４】
ステップ１３４では、ユーザの識別情報（例えば、ユーザＩＤ）とログ画像と閲覧を示す処理内容情報とを含むイメージログを作成して、管理サーバ１６に送信し、ステップ１３６で、ディスプレイ３２に電子文書を表示して、閲覧時処理ルーチンを終了する。
【００６５】
そして、管理サーバ１６では、図１２に示すイメージログ保存処理ルーチンが実行される。まず、ステップ１４０において、イメージログを受信したか否かを判定し、クライアントＰＣ１２からイメージログを受信すると、ステップ１４２へ進み、受信したイメージログをＨＤＤのイメージログＤＢに保存し、ステップ１４４において、送信元であるクライアントＰＣ１２に対して、受信完了の通知を行って、イメージログ保存処理ルーチンを終了する。
【００６６】
また、電子文書が配布されたクライアントＰＣ１２において、ユーザから電子文書の印刷が指示されると、図１３に示す印刷時処理ルーチンが実行される。なお、上述した閲覧時処理ルーチンと同様の処理については、同一符号を付して、詳細な説明を省略する。
【００６７】
まず、ステップ１５０において、電子文書に付加されたイメージログ設定情報のオンオフ設定情報に基づいて、印刷時のイメージログ機能がオンに設定されているか否かを判定し、イメージログ機能がオフに設定されている場合には、ステップ１５６へ移行するが、一方、印刷時のイメージログ機能がオンに設定されている場合には、ステップ１２２において、電子文書に付加されたＩＰアドレスに基づいて、管理サーバ１６にアクセス要求信号を送信する。
【００６８】
そして、ステップ１２４では、管理サーバ１６からアクセス要求信号に対する応答信号を受信したか否かを判定し、管理サーバ１６から応答信号を受信しなかった場合には、電子文書の印刷が許可されていないと判断し、ステップ１５２において、電子文書を印刷装置１４に送信せずに、印刷できないことを示すメッセージを表示し、印刷時処理ルーチンを終了する。
【００６９】
一方、上記ステップ１２４で、管理サーバ１６から応答信号を受信すると、電子文書の印刷が許可されていると判断し、ステップ１２８へ進み、電子文書内にログ画像が付加されているか否かを判定する。電子文書にログ画像が付加されている場合には、ステップ１５４へ移行し、一方、電子文書にログ画像が付加されていない場合には、ステップ１３０で、電子文書に付加されたイメージログ設定情報のログ画像設定情報を取得し、ステップ１３２において、電子文書のログ画像を作成して、ステップ１５４へ移行する。
【００７０】
ステップ１５４では、ユーザの識別情報とログ画像と印刷を示す処理内容情報とを含むイメージログを作成して、管理サーバ１６に送信し、ステップ１５６で、印刷装置１４に、電子文書を画像データとして送信して、印刷装置１４に電子文書を印刷させて、印刷時処理ルーチンを終了する。
【００７１】
また、管理サーバ１６では、上述したイメージログ保存処理ルーチンが実行される。
【００７２】
上記のように印刷時処理ルーチンが実行されると、図１４に示すように、クライアントＰＣ１２において、配布された電子文書の印刷要求があると、電子文書に付加されたＩＰアドレスに基づいて、管理サーバ１６にアクセス要求信号を送信し、管理サーバ１６から応答信号を受信すると、印刷を示す処理内容情報や、ユーザ識別情報、ログ画像を含むイメージログを、管理サーバ１６に送信して、管理サーバ１６にイメージログを保存し、そして、印刷装置１４に電子文書を画像データとして送信して、印刷装置１４に電子文書を印刷させる。これにより、管理サーバ１６にアクセスできるＬＡＮであるネットワーク１８内のクライアントＰＣ１２のみが、イメージログ機能が設定された電子文書を印刷するように印刷装置１４に指示することができ、ネットワーク１８の外になるクライアントＰＣ１２からは、管理サーバ１６にアクセスできず、電子文書を印刷するように印刷装置１４に指示することができない。なお、イメージログに含まれる処理内容情報には、上記図１４に示すように、処理を行った処理日時も含めるようにしてもよい。
【００７３】
また、電子文書が配布されたクライアントＰＣ１２において、ユーザが、キーボード２８やマウス３０を操作して、電子文書を編集し、編集した電子文書の保存が指示されると、図１５に示す編集時処理ルーチンが実行される。なお、上述した閲覧時処理ルーチンと同様の処理については、同一符号を付して、詳細な説明を省略する。
【００７４】
まず、ステップ１６０において、電子文書に付加されたイメージログ設定情報のオンオフ設定情報に基づいて、編集時のイメージログ機能がオンに設定されているか否かを判定し、編集時のイメージログ機能がオフに設定されている場合には、ステップ１６６へ移行するが、一方、編集時のイメージログ機能がオンに設定されている場合には、ステップ１２２において、電子文書に付加されたＩＰアドレスに基づいて、管理サーバ１６にアクセス要求信号を送信する。
【００７５】
そして、ステップ１２４では、管理サーバ１６からアクセス要求信号に対する応答信号を受信したか否かを判定し、管理サーバ１６から応答信号を受信しなかった場合には、管理サーバ１６にアクセスできないため、電子文書の編集が許可されていないと判断し、ステップ１６２において、編集された電子文書をＨＤＤ２６に保存せずに、編集できないことを示すメッセージを表示し、編集時処理ルーチンを終了する。
【００７６】
一方、上記ステップ１２４で、管理サーバ１６から応答信号を受信すると、電子文書の編集が許可されていると判断し、ステップ１２８へ進み、電子文書にログ画像が付加されているか否かを判定する。電子文書にログ画像が付加されている場合には、ステップ１６４へ移行し、一方、電子文書にログ画像が付加されていない場合には、ステップ１３０で、電子文書に付加されたイメージログ設定情報のログ画像設定情報を取得し、ステップ１３２において、電子文書のログ画像を作成して、ステップ１６４へ移行する。
【００７７】
ステップ１６４では、ユーザの識別情報とログ画像と編集を示す処理内容情報とを含むイメージログを作成して、管理サーバ１６に送信し、ステップ１６６で、編集された電子文書をＨＤＤ２６に保存して、編集時処理ルーチンを終了する。
【００７８】
また、管理サーバ１６では、上述したイメージログ保存処理ルーチンが実行される。
【００７９】
以上説明したように、第１の実施の形態に係る印刷システムによれば、パスワードを用いずに、電子文書の印刷、閲覧、及び編集を制限しているため、パスワードを利用する場合に比べて、ユーザの操作を軽減している。
【００８０】
なお、上記の実施の形態では、編集された電子文書を保存するときに、編集時処理ルーチンを実行する場合を例に説明したが、電子文書に変更を加えるときに、編集時処理ルーチンを実行し、編集が許可されていると判断した場合に、電子文書に変更を加えるようにしてもよい。
【００８１】
また、閲覧時、印刷時、又は変更時に、「本電子文書はイメージログ機能がオンになっています。」というメッセージをクライアントＰＣのディスプレイに表示して、抑止効果を高めるようにしてもよい。
【００８２】
また、クライアントＰＣにおいて、電子文書が作成される場合を例に説明したが、これに限定されるものではなく、印刷装置において、スキャンした画像を電子文書に変換することにより、電子文書を作成してもよい。
【００８３】
また、ファクシミリ送信時に管理サーバにアクセスし、管理サーバにアクセスできた場合に、イメージログを管理サーバに送信すると共に、電子文書をファクシミリ送信するようにしてもよい。
【００８４】
次に第２の実施の形態について説明する。なお、第２の実施の形態に係る印刷システムの構成は、第１の実施の形態と同一構成であるので、同一符号を付して、構成に関する説明を省略する。
【００８５】
第２の実施の形態では、管理サーバにイメージログを送信し、イメージログを送信したことに対する応答信号を管理サーバから受信すると、閲覧、印刷、及び編集の何れかの処理が許可されていると判断する点が第１の実施の形態と異なっている。
【００８６】
第２の実施の形態に係る印刷時処理ルーチンについて、図１６を用いて説明する。なお、第１の実施の形態に係る印刷時処理ルーチンと同様の処理については、同一符号を付して説明を省略する。また、本実施の形態では、送信する所定情報としてイメージログを用いている。
【００８７】
まず、ステップ１５０において、電子文書に付加されたイメージログ設定情報のオンオフ設定情報に基づいて、印刷時のイメージログ機能がオンに設定されているか否かを判定し、イメージログ機能がオフに設定されている場合には、ステップ１５６へ移行するが、一方、印刷時のイメージログ機能がオンに設定されている場合には、ステップ１２８において、電子文書にログ画像が付加されているか否かを判定する。電子文書にログ画像が付加されている場合には、ステップ１５４へ移行し、一方、電子文書にログ画像が付加されていない場合には、ステップ１３０で、電子文書に付加されたイメージログ設定情報のログ画像設定情報を取得し、ステップ１３２において、ログ画像を作成して、ステップ１５４へ移行する。
【００８８】
ステップ１５４では、ユーザの識別情報とログ画像と印刷を示す処理内容情報とを含むイメージログを作成し、電子文書に付加されているＩＰアドレスに基づいて、作成したイメージログを管理サーバ１６に送信する。そして、ステップ２００において、イメージログを送信したことに対する応答信号を管理サーバ１６から受信したか否かを判定し、管理サーバ１６から応答信号を受信しなかった場合には、管理サーバ１６にアクセスすることができないため、電子文書の印刷が許可されていないと判断し、ステップ１５２において、電子文書を印刷装置１４に送信せずに、印刷できないことを示すメッセージを表示して、印刷時処理ルーチンを終了する。
【００８９】
一方、上記ステップ２００で、管理サーバ１６から応答信号を受信すると、管理サーバ１６にアクセスできるため、電子文書の印刷が許可されていると判断し、ステップ１５６へ進み、印刷装置１４に電子文書を画像データとして送信して、印刷装置１４に電子文書を印刷させて、印刷時処理ルーチンを終了する。
【００９０】
そして、管理サーバ１６では、第１の実施の形態と同様に、イメージログ保存処理ルーチンが実行される。
【００９１】
また、電子文書の閲覧時には、閲覧時処理ルーチンにおいて、上記の印刷時処理ルーチンと同様に、閲覧時のイメージログ機能がオンに設定されている場合には、閲覧を示す処理内容情報を含むイメージログを作成して、管理サーバ１６に送信し、管理サーバ１６から応答信号を受信すると、電子文書の閲覧が許可されていると判断し、電子文書をディスプレイ３２に表示して、ユーザに電子文書を閲覧させる。
【００９２】
また、電子文書の編集時には、編集時処理ルーチンにおいて、上記の印刷時処理ルーチンと同様に、編集時のイメージログ機能がオンに設定されている場合には、編集を示す処理内容情報とを含むイメージログを作成して、管理サーバ１６に送信し、管理サーバ１６から応答信号を受信すると、電子文書の編集が許可されていると判断し、編集された電子文書をＨＤＤ２６に保存する。
【００９３】
なお、クライアントＰＣ１２において、電子文書を作成する場合には、第１の実施の形態と同様に、電子文書作成時処理ルーチンが実行される。
【００９４】
次に第３の実施の形態について説明する。なお、第３の実施の形態に係る印刷システムの構成は、第１の実施の形態と同一構成であるので、同一符号を付して、構成に関する説明を省略する。
【００９５】
第３の実施の形態では、管理サーバにおいて、ユーザの識別情報の各々に対して、電子文書の閲覧、印刷、及び編集の各々を許可するか否かを予め定めておき、クライアントＰＣから送信されたイメージログに含まれているユーザの識別情報に基づいて、閲覧、印刷、又は編集の各々を許可するか否かを判定している点が第２の実施の形態と異なっている。
【００９６】
第３の実施の形態に係る印刷システムでは、管理サーバ１６のＨＤＤに、例えばユーザＩＤであるユーザの識別情報の各々に対して、印刷、閲覧、及び編集の各々を許可するか否かを登録した管理テーブルが予め記憶されている。
【００９７】
次に、第３の実施の形態に係る印刷時処理ルーチンについては、図１７を用いて説明する。なお、第１の実施の形態及び第２の実施の形態に係る印刷時処理ルーチンと同様の処理については、同一符号を付して説明を省略する。
【００９８】
まず、ステップ１５０において、電子文書に付加されたイメージログ設定情報のオンオフ設定情報に基づいて、印刷時のイメージログ機能がオンに設定されているか否かを判定し、イメージログ機能がオフに設定されている場合には、ステップ１５６へ移行するが、一方、印刷時のイメージログ機能がオンに設定されている場合には、ステップ１２８において、電子文書にログ画像が付加されているか否かを判定する。電子文書にログ画像が付加されている場合には、ステップ１５４へ移行し、一方、電子文書にログ画像が付加されていない場合には、ステップ１３０で、電子文書に付加されたイメージログ設定情報を取得し、ステップ１３２において、電子文書のログ画像を作成して、ステップ１５４へ移行する。
【００９９】
ステップ１５４では、ユーザの識別情報とログ画像と印刷を示す処理内容情報とを含むイメージログを作成し、電子文書に付加されているＩＰアドレスに基づいて、管理サーバ１６に送信し、ステップ２００において、イメージログを送信したことに対する応答信号を管理サーバ１６から受信したか否かを判定し、管理サーバ１６から応答信号を受信しなかった場合には、管理サーバ１６にアクセスできないため、電子文書の印刷が許可されていないと判断し、ステップ１５２へ移行する。
【０１００】
一方、上記ステップ２００で、管理サーバ１６から応答信号を受信すると、ステップ３００で、受信した応答信号が、印刷許可信号であるか否かを判定し、印刷不許可信号であった場合には、電子文書の印刷が許可されていないと判断し、ステップ１５２において、電子文書を印刷装置１４に送信せずに、印刷できないことを示すメッセージを表示して、印刷時処理ルーチンを終了する。
【０１０１】
一方、上記ステップ３００で、応答信号が、印刷許可信号であると、電子文書の印刷が許可されていると判断し、ステップ１５６へ進み、印刷装置１４に電子文書を画像データとして送信して、印刷装置１４に電子文書を印刷させて、印刷時処理ルーチンを終了する。
【０１０２】
また、電子文書の閲覧時には、閲覧時処理ルーチンにおいて、上記の印刷時処理ルーチンと同様に、閲覧時のイメージログ機能がオンに設定されている場合には、閲覧を示す処理内容情報を含むイメージログを作成して、管理サーバ１６に送信し、管理サーバ１６から受信した応答信号が閲覧許可信号であると、電子文書の閲覧が許可されていると判断し、電子文書をディスプレイ３２に表示して、ユーザに電子文書を閲覧させる。
【０１０３】
また、電子文書の編集時には、編集時処理ルーチンにおいて、上記の印刷時処理ルーチンと同様に、編集時のイメージログ機能がオンに設定されている場合には、編集を示す処理内容情報とを含むイメージログを作成して、管理サーバ１６に送信し、管理サーバ１６から受信した応答信号が編集許可信号であると、電子文書の編集が許可されていると判断し、編集された電子文書をＨＤＤ２６に保存する。
【０１０４】
管理サーバ１６では、図１８に示すイメージログ保存処理ルーチンが実行される。なお、第１の実施の形態に係るイメージログ保存処理ルーチンと同様の処理については、同一符号を付して説明を省略する。
【０１０５】
まず、ステップ１４０において、イメージログを受信したか否かを判定し、クライアントＰＣ１２からイメージログを受信すると、ステップ１４２へ進み、受信したイメージログをＨＤＤのイメージログＤＢに保存し、次のステップ３１０で、受信したイメージログから、ユーザの識別情報及び処理内容情報を取り出す。
【０１０６】
そして、ステップ３１２において、ＨＤＤに登録されている管理テーブルに基づいて、上記ステップ３１０で取り出したユーザの識別情報に対して、処理内容情報が示す処理（例えば、印刷）が許可されているか否かを判定し、取り出したユーザの識別情報に対して、印刷を許可することが管理テーブルに登録されていた場合には、ステップ３１４で、送信元であるクライアントＰＣ１２に対して、印刷許可信号（処理内容情報が閲覧を示している場合には閲覧許可信号、処理内容情報が編集を示している場合には編集許可信号）を応答信号として送信して、イメージログ保存処理ルーチンを終了する。一方、上記ステップ３１２で、取り出したユーザの識別情報に対して、印刷を許可しないことが管理テーブルに登録されていた場合には、ステップ３１６で、送信元であるクライアントＰＣ１２に対して、印刷不許可信号（処理内容情報が閲覧を示している場合には閲覧不許可信号、処理内容情報が編集を示している場合には編集不許可信号）を応答信号として送信して、イメージログ保存処理ルーチンを終了する。
【０１０７】
なお、上記の実施の形態では、管理テーブルに、ユーザ識別情報に対して、閲覧、印刷、及び編集の各々が許可されているか否かが登録されている場合を例に説明したが、これに限定されるものではなく、管理テーブルには、クライアントＰＣのＩＰアドレスの各々に対して、閲覧、印刷、及び編集の各々が許可されているか否かが登録されていてもよい。この場合には、クライアントＰＣでは、自装置のＩＰアドレスをクライアントＰＣの識別情報としてイメージログに付加して、管理サーバに送信すればよい。
【０１０８】
また、管理テーブルには、サブネットの各々に対して、閲覧、印刷、及び編集の各々が許可されているか否かが登録されていてもよい。この場合には、許可されているサブネットに含まれるＩＰアドレスのクライアントＰＣに対して、閲覧、印刷、又は編集を許可する。
【０１０９】
次に第４の実施の形態について説明する。なお、第４の実施の形態に係る印刷システムの構成は、第１の実施の形態と同一構成であるので、同一符号を付して、構成に関する説明を省略する。
【０１１０】
第４の実施の形態では、管理サーバにおいて、電子文書の各々に対して、閲覧、印刷、及び編集の各々を許可するか否かを予め定め、クライアントＰＣから送信されたイメージログに含まれている電子文書の特定情報に基づいて、閲覧、印刷、又は編集の各々を許可するか否かを判定している点が第２の実施の形態と異なっている。
【０１１１】
第４の実施の形態に係る印刷システムでは、管理サーバのＨＤＤに、図１９に示すように、例えば、電子文書のファイル名である電子文書の特定情報の各々に対して、印刷、閲覧、及び編集の各々を許可するか否かを登録した管理テーブルが予め記憶されている。
【０１１２】
クライアントＰＣ１２は、閲覧時、印刷時、又は編集時に、ログ画像と共に、電子文書の特定情報を含むイメージログを作成して、管理サーバに送信する。
【０１１３】
次に、第４の実施の形態に係るイメージログ保存処理ルーチンを、図２０を用いて説明する。なお、第３の実施の形態に係るイメージログ保存処理ルーチンと同様の処理については、同一符号を付して説明を省略する。
【０１１４】
まず、ステップ１４０において、イメージログを受信したか否かを判定し、クライアントＰＣ１２からイメージログを受信すると、ステップ１４２へ進み、受信したイメージログをＨＤＤのイメージログＤＢに保存し、次のステップ４１０で、受信したイメージログから、電子文書の特定情報及び処理内容情報を取り出す。
【０１１５】
そして、ステップ４１２において、ＨＤＤに登録されている管理テーブルに基づいて、上記ステップ４１０で取り出した電子文書の特定情報に対して、処理内容情報が示す処理（例えば、印刷）が許可されているか否かを判定し、取り出した電子文書の特定情報に対して、印刷が許可されていることが管理テーブルに登録されていた場合には、ステップ３１４で、送信元であるクライアントＰＣ１２に対して、印刷許可信号を応答信号として送信して、イメージログ保存処理ルーチンを終了する。一方、上記ステップ４１０で、取り出したユーザ識別情報に対して、印刷を許可しないことが管理テーブルに登録されていた場合には、ステップ３１６で、送信元であるクライアントＰＣ１２に対して、印刷不許可信号を応答信号として送信して、イメージログ保存処理ルーチンを終了する。
【０１１６】
なお、クライアントＰＣ１２では、第３の実施の形態と同様に、印刷時処理ルーチンや、閲覧時処理ルーチン、編集時処理ルーチンが実行される。
【０１１７】
次に第５の実施の形態について説明する。なお、第５の実施の形態に係る印刷システムの構成は、第１の実施の形態と同一構成であるので、同一符号を付して、構成に関する説明を省略する。
【０１１８】
第５の実施の形態では、クライアントＰＣではなく、印刷装置においてイメージログを作成し、管理サーバに送信している点が第１の実施の形態と異なっている。
【０１１９】
第５の実施の形態に係る印刷時処理ルーチンについて、図２１を用いて説明する。なお、第１の実施の形態に係る印刷時処理ルーチンと同様の処理については、同一符号を付して説明を省略する。
【０１２０】
まず、ステップ１５０において、電子文書に付加されたイメージログ設定情報のオンオフ設定情報に基づいて、印刷時のイメージログ機能がオンに設定されているか否かを判定し、イメージログ機能がオフに設定されている場合には、ステップ１５６へ移行するが、一方、印刷時のイメージログ機能がオンに設定されている場合には、ステップ１２２において、電子文書に付加されたＩＰアドレスに基づいて、管理サーバ１６にアクセス要求信号を送信する。
【０１２１】
そして、ステップ１２４では、管理サーバ１６からアクセス要求信号に対する応答信号を受信したか否かを判定し、管理サーバ１６から応答信号を受信しなかった場合には、管理サーバ１６にアクセスすることができないため、電子文書の印刷が許可されていないと判断し、ステップ１５２において、電子文書を印刷装置１４に送信せずに、印刷できないことを示すメッセージを表示し、印刷時処理ルーチンを終了する。
【０１２２】
一方、上記ステップ１２４で、管理サーバ１６から応答信号を受信すると、管理サーバ１６にアクセスすることができるため、電子文書の印刷が許可されていると判断し、ステップ１５６へ移行し、印刷装置１４に電子文書を画像データとして送信して、印刷装置１４に電子文書を印刷させて、印刷時処理ルーチンを終了する。
【０１２３】
印刷装置１４では、電子文書を受信すると、電子文書内にログ画像が付加されているか否かを判定し、電子文書にログ画像が付加されていない場合には、電子文書に付加されたイメージログ設定情報のログ画像設定情報に基づいて、電子文書のログ画像を作成する。そして、ユーザの識別情報とログ画像と印刷を示す処理内容情報とを含むイメージログを作成して、管理サーバ１６に送信する。
【０１２４】
そして、管理サーバ１６では、第１の実施の形態と同様に、イメージログ保存処理ルーチンが実行される。
【０１２５】
上記のように印刷時処理ルーチンが実行されると、図２２に示すように、クライアントＰＣ１２において、配布された電子文書の印刷が指示されると、電子文書に付加されたＩＰアドレスに基づいて、管理サーバ１６にアクセス要求信号を送信し、管理サーバ１６から応答信号を受信すると、印刷装置１４に電子文書を画像データとして送信する。印刷装置１４では、印刷を示す処理内容情報や、ユーザの識別情報、ログ画像を含むイメージログを作成して、管理サーバ１６に送信して、管理サーバ１６にイメージログを保存し、そして、印刷装置１４において、電子文書を印刷する。
【０１２６】
なお、閲覧時及び編集時は、第１の実施の形態と同様に、閲覧時処理ルーチン及び編集時閲覧時ルーチンを実行し、クライアントＰＣ１２でイメージログを作成して、管理サーバ１６に送信する。
【０１２７】
また、上記の実施の形態では、以下の発明を含んでいる。情報処理システムは、外部管理装置と通信を行うための通信情報が付加された画像情報を閲覧するときに、前記通信情報に基づいて、所定情報を前記外部管理装置に送信する情報送信手段、前記外部管理装置から、前記情報送信手段によって送信された所定情報に対する応答信号を受信する受信手段、及び前記受信手段によって前記応答信号を受信したときに、前記画像情報を表示する表示手段を含む情報処理装置と、前記所定情報を前記情報処理装置から受信する所定情報受信手段、及び前記所定情報受信手段が受信した前記所定情報によって応答信号を送信する応答信号送信手段を含む外部管理装置と、を含んで構成される。
【０１２８】
従来必要だった認証情報の設定やその入力などの利用者の面倒な操作を必要とせずに、画像情報の閲覧について機密性、及び可用性を成り立たせることができる、という効果が得られる。
【０１２９】
また、情報処理システムは、外部管理装置と通信を行うための通信情報が付加された画像情報を編集するときに、前記通信情報に基づいて、所定情報を前記外部管理装置に送信する情報送信手段、前記外部管理装置から、前記情報送信手段によって送信された所定情報に対する応答信号を受信する受信手段、及び前記受信手段によって前記応答信号を受信したときに、前記画像情報を編集する編集手段を含む情報処理装置と、前記所定情報を前記情報処理装置から受信する所定情報受信手段、及び前記所定情報受信手段が受信した前記所定情報によって応答信号を送信する応答信号送信手段を含む外部管理装置と、を含んで構成される。
【０１３０】
従来必要だった認証情報の設定やその入力などの利用者の面倒な操作を必要とせずに、画像情報の編集について機密性、完全性、及び可用性を成り立たせることができる、という効果が得られる。
【図面の簡単な説明】
【０１３１】
【図１】本発明の第１の実施の形態に係る印刷システムの構成を示す概略図である。
【図２】本発明の第１の実施の形態に係るクライアントＰＣの構成を示すブロック図である。
【図３】本発明の第１の実施の形態に係る印刷装置の構成を示すブロック図である。
【図４】電子文書にＩＰアドレスを付加する様子を示すイメージ図である。
【図５】電子文書作成プロパティ設定画面を示すイメージ図である。
【図６】イメージログ機能のオンオフ設定画面を示すイメージ図である。
【図７】イメージログプロパティ設定画面を示すイメージ図である。
【図８】管理サーバのアドレスを設定するための画面を示すイメージ図である。
【図９】本発明の第１の実施の形態に係るクライアントＰＣにおけるイメージログ作成処理ルーチンの内容を示すフローチャートである。
【図１０】ログ画像及びＩＰアドレスが付加された電子文書を示すイメージ図である。
【図１１】本発明の第１の実施の形態に係るクライアントＰＣにおける閲覧時処理ルーチンの内容を示すフローチャートである。
【図１２】本発明の第１の実施の形態に係る管理サーバにおけるイメージログ保存処理ルーチンの内容を示すフローチャートである。
【図１３】本発明の第１の実施の形態に係るクライアントＰＣにおける印刷時処理ルーチンの内容を示すフローチャートである。
【図１４】イメージログ機能が設定された電子文書が印刷されるまでの処理の流れを示すイメージ図である。
【図１５】本発明の第１の実施の形態に係るクライアントＰＣにおける編集時処理ルーチンの内容を示すフローチャートである。
【図１６】本発明の第２の実施の形態に係るクライアントＰＣにおける印刷時処理ルーチンの内容を示すフローチャートである。
【図１７】本発明の第３の実施の形態に係るクライアントＰＣにおける印刷時処理ルーチンの内容を示すフローチャートである。
【図１８】本発明の第３の実施の形態に係る管理サーバにおけるイメージログ保存処理ルーチンの内容を示すフローチャートである。
【図１９】本発明の第４の実施の形態に係る管理サーバに記憶されている管理テーブルの内容を示す表である。
【図２０】本発明の第４の実施の形態に係る管理サーバにおけるイメージログ保存処理ルーチンの内容を示すフローチャートである。
【図２１】本発明の第５の実施の形態に係るクライアントＰＣにおける印刷時処理ルーチンの内容を示すフローチャートである。
【図２２】本発明の第５の実施の形態に係る印刷システムにおいて、イメージログ機能が設定された電子文書が印刷されると共に、イメージログが管理サーバに送信される様子を示すイメージ図である。
【符号の説明】
【０１３２】
１０  印刷システム
１２  クライアントＰＣ
１４  印刷装置
１６  管理サーバ
１８  ネットワーク
２０  ＲＯＭ
２２  ＣＰＵ
２４  ＲＡＭ
２６  ＨＤＤ
３２  ディスプレイ
３６  ネットワークインタフェース
【図１】
2008217452.tif 000003
【図２】
2008217452.tif 000004
【図３】
2008217452.tif 000005
【図４】
2008217452.tif 000006
【図５】
2008217452.tif 000007
【図６】
2008217452.tif 000008
【図７】
2008217452.tif 000009
【図８】
2008217452.tif 000010
【図９】
2008217452.tif 000011
【図１０】
2008217452.tif 000012
【図１１】
2008217452.tif 000013
【図１２】
2008217452.tif 000014
【図１３】
2008217452.tif 000015
【図１４】
2008217452.tif 000016
【図１５】
2008217452.tif 000017
【図１６】
2008217452.tif 000018
【図１７】
2008217452.tif 000019
【図１８】
2008217452.tif 000020
【図１９】
2008217452.tif 000021
【図２０】
2008217452.tif 000022
【図２１】
2008217452.tif 000023
【図２２】
2008217452.tif 000024